(57)【特許請求の範囲】
【請求項１】
直交変調器と、直交復調器とを備えた直交変調・復調装置であって、
前記直交変調器が、
変調用ローカル信号を出力する変調用ローカル信号源と、
前記変調用ローカル信号と被変調I信号とを乗算する第一変調用乗算器と、
前記変調用ローカル信号と位相が直交する変調用直交ローカル信号と、被変調Q信号とを乗算する第二変調用乗算器と、
前記第一変調用乗算器の出力と、前記第二変調用乗算器の出力とを加算する加算器と、
を有し、
前記直交復調器が、
復調用ローカル信号を出力する復調用ローカル信号源と、
前記復調用ローカル信号と前記加算器の出力とを乗算する第一復調用乗算器と、
前記復調用ローカル信号と位相が直交する復調用直交ローカル信号と、前記加算器の出力とを乗算する第二復調用乗算器と、
を有し、
前記変調用ローカル信号の周波数と、前記復調用ローカル信号の周波数とが異なり、
前記第一復調用乗算器および前記第二復調用乗算器の出力における、前記被変調I信号および前記被変調Q信号に対応する成分を信号成分とし、
前記第一復調用乗算器および前記第二復調用乗算器の出力における、前記直交変調器の誤差に対応する成分を誤差成分としたときに、
前記信号成分を前記誤差成分と区別して測定可能な程度、前記信号成分の周波数と前記誤差成分の周波数とが異なるように、前記変調用ローカル信号の周波数と、前記復調用ローカル信号の周波数との差が定められている、
直交変調・復調装置。
【請求項２】
変調用ローカル信号を出力する変調用ローカル信号源と、
前記変調用ローカル信号と被変調I信号とを乗算する第一変調用乗算器と、
前記変調用ローカル信号と位相が直交する変調用直交ローカル信号と、被変調Q信号とを乗算する第二変調用乗算器と、
前記第一変調用乗算器の出力と、前記第二変調用乗算器の出力とを加算する加算器と、
を備え、
直交復調器において、前記加算器の出力が、復調用ローカル信号および前記復調用ローカル信号と位相が直交する復調用直交ローカル信号と乗算され、
前記変調用ローカル信号の周波数と、前記復調用ローカル信号とが異なり、
前記直交復調器における乗算結果における、前記被変調I信号および前記被変調Q信号に対応する成分を信号成分とし、
前記直交復調器における乗算結果における、前記直交変調器の誤差に対応する成分を誤差成分としたときに、
前記信号成分を前記誤差成分と区別して測定可能な程度、前記信号成分の周波数と前記誤差成分の周波数とが異なるように、前記変調用ローカル信号の周波数と、前記復調用ローカル信号の周波数との差が定められている、
直交変調器。
【請求項３】
復調用ローカル信号を出力する復調用ローカル信号源と、
前記復調用ローカル信号と被復調信号とを乗算する第一復調用乗算器と、
前記復調用ローカル信号と位相が直交する復調用直交ローカル信号と、前記被復調信号とを乗算する第二復調用乗算器と、
を備え、
前記被復調信号は、直交変調器における、被変調I信号と変調用ローカル信号との乗算、および、前記変調用ローカル信号と位相が直交する変調用直交ローカル信号と被変調Q信号との乗算に基づき得られるものであり、
前記変調用ローカル信号の周波数と、前記復調用ローカル信号の周波数とが異なり、
前記第一復調用乗算器および前記第二復調用乗算器の出力における、前記被変調I信号および前記被変調Q信号に対応する成分を信号成分とし、
前記第一復調用乗算器および前記第二復調用乗算器の出力における、前記直交変調器の誤差に対応する成分を誤差成分としたときに、
前記信号成分を前記誤差成分と区別して測定可能な程度、前記信号成分の周波数と前記誤差成分の周波数とが異なるように、前記変調用ローカル信号の周波数と、前記復調用ローカル信号の周波数との差が定められている、
直交復調器。
【発明の詳細な説明】
【技術分野】
【０００１】
本発明は、直交変調および直交復調に関する。
【背景技術】
【０００２】
従来より、直交変調器により直交変調した信号を、直交復調器が受けて直交復調することが行われている（例えば、特許文献１の要約を参照）。直交変調した信号には、直交変調器のゲインインバランスや直交誤差による誤差が含まれる。
【０００３】
図３は、従来技術にかかる直交変調器の出力の周波数スペクトル（図３（ａ）参照）、直交復調器の出力の周波数スペクトル（図３（ｂ）参照）を示す図である。なお、図３の縦軸は電力[dBm]、横軸は周波数である。
【０００４】
試験用I信号（周波数fs）および試験用Q信号（周波数fs）を直交変調するためには、以下の工程を行う。
（１）試験用I信号とローカル信号（周波数fLO）とを乗算する。
（２）試験用Q信号と、直交ローカル信号（ローカル信号と位相が直交する信号）とを乗算する。
（３）（１）と（２）との乗算結果を加算したものを直交変調の結果（直交変調器の出力）とする。
【０００５】
図３（ａ）を参照して、（１）および（２）において乗算が行われるため、周波数fLO＋fsの成分と、周波数fLO−fsの成分とが直交変調器から出力される。試験用I信号および試験用Q信号に対応する成分は周波数fLO＋fsの成分である。周波数fLO−fsの成分は、直交変調器のゲインインバランスや直交誤差による誤差の成分である。
【０００６】
直交変調された信号を直交復調するためには、以下の工程を行う。
（４）直交変調された信号とローカル信号（周波数fLO）とを乗算する。
（５）直交変調された信号と、直交ローカル信号とを乗算する。
【０００７】
図３（ｂ）を参照して、（４）および（５）において乗算が行われるため、周波数fLO＋fsの成分（図３（ａ）参照）は、周波数が(fLO＋fs)−fLO = fsとなる。周波数fLO＋fsの成分（試験用I信号および試験用Q信号に対応する成分）が周波数fsの成分となったものの電力をP1とする。この電力P1が、試験用I信号および試験用Q信号の電力に相当するものとなる。
【０００８】
また、図３（ｂ）を参照して、（４）および（５）において乗算が行われるため、周波数fLO−fsの成分（図３（ａ）参照）は、周波数がfLO−(fLO−fs) = fsとなる。周波数fLO−fsの成分（誤差の成分）が周波数fsの成分となったものの電力をP2とする。
【０００９】
直交復調の結果として、周波数fsの成分（電力P1＋P2）が得られる。
【００１０】
【特許文献１】特開２００８−２２２４３号公報
【発明の開示】
【発明が解決しようとする課題】
【００１１】
しかし、直交復調の結果として得られる周波数fsの成分の電力は本来、P1でなければならない。電力P2は誤差である。
【００１２】
そこで、本発明は、直交復調した信号における直交変調器に起因する誤差の影響を軽減することを課題とする。
【課題を解決するための手段】
【００１３】
本発明にかかる直交変調・復調装置は、直交変調器と、直交復調器とを備えた直交変調・復調装置であって、前記直交変調器が、変調用ローカル信号を出力する変調用ローカル信号源と、前記変調用ローカル信号と被変調I信号とを乗算する第一変調用乗算器と、前記変調用ローカル信号と位相が直交する変調用直交ローカル信号と、被変調Q信号とを乗算する第二変調用乗算器と、前記第一変調用乗算器の出力と、前記第二変調用乗算器の出力とを加算する加算器と、を有し、前記直交復調器が、復調用ローカル信号を出力する復調用ローカル信号源と、前記復調用ローカル信号と前記加算器の出力とを乗算する第一復調用乗算器と、前記復調用ローカル信号と位相が直交する復調用直交ローカル信号と、前記加算器の出力とを乗算する第二復調用乗算器と、を有し、前記変調用ローカル信号の周波数と、前記復調用ローカル信号の周波数とが異なるように構成される。
【００１４】
上記のように構成された直交変調・復調装置は、直交変調器と、直交復調器とを備える。
【００１５】
前記直交変調器は、変調用ローカル信号源と、第一変調用乗算器と、第二変調用乗算器と、加算器とを有する。変調用ローカル信号源は、変調用ローカル信号を出力する。第一変調用乗算器は、前記変調用ローカル信号と被変調I信号とを乗算する。第二変調用乗算器は、前記変調用ローカル信号と位相が直交する変調用直交ローカル信号と、被変調Q信号とを乗算する。加算器は、前記第一変調用乗算器の出力と、前記第二変調用乗算器の出力とを加算する。
【００１６】
前記直交復調器が、復調用ローカル信号源と、第一復調用乗算器と、第二復調用乗算器とを有する。復調用ローカル信号源は、復調用ローカル信号を出力する。第一復調用乗算器は、前記復調用ローカル信号と前記加算器の出力とを乗算する。第二復調用乗算器は、前記復調用ローカル信号と位相が直交する復調用直交ローカル信号と、前記加算器の出力とを乗算する。
【００１７】
しかも、前記変調用ローカル信号の周波数と、前記復調用ローカル信号の周波数とが異なる。
【００１８】
なお、本発明にかかる直交変調・復調装置は、前記第一復調用乗算器および前記第二復調用乗算器の出力における、前記被変調I信号および前記被変調Q信号に対応する成分を信号成分とし、前記第一復調用乗算器および前記第二復調用乗算器の出力における、前記直交変調器の誤差に対応する成分を誤差成分としたときに、前記信号成分を前記誤差成分と区別して測定可能な程度、前記信号成分の周波数と前記誤差成分の周波数とが異なるように、前記変調用ローカル信号の周波数と、前記復調用ローカル信号の周波数との差が定められているようにしてもよい。
【００１９】
本発明にかかる直交変調器は、変調用ローカル信号を出力する変調用ローカル信号源と、前記変調用ローカル信号と被変調I信号とを乗算する第一変調用乗算器と、前記変調用ローカル信号と位相が直交する変調用直交ローカル信号と、被変調Q信号とを乗算する第二変調用乗算器と、前記第一変調用乗算器の出力と、前記第二変調用乗算器の出力とを加算する加算器と、を備え、直交復調器において、前記加算器の出力が、復調用ローカル信号および前記復調用ローカル信号と位相が直交する復調用直交ローカル信号と乗算され、前記変調用ローカル信号の周波数と、前記復調用ローカル信号とが異なるように構成される。
【００２０】
上記のように構成された直交変調器によれば、変調用ローカル信号源が、変調用ローカル信号を出力する。第一変調用乗算器が、前記変調用ローカル信号と被変調I信号とを乗算する。第二変調用乗算器が、前記変調用ローカル信号と位相が直交する変調用直交ローカル信号と、被変調Q信号とを乗算する。加算器が、前記第一変調用乗算器の出力と、前記第二変調用乗算器の出力とを加算する。
【００２１】
さらに、直交復調器において、前記加算器の出力が、復調用ローカル信号および前記復調用ローカル信号と位相が直交する復調用直交ローカル信号と乗算される。
【００２２】
しかも、前記変調用ローカル信号の周波数と、前記復調用ローカル信号とが異なる。
なお、本発明にかかる直交変調器は、前記直交復調器における乗算結果における、前記被変調I信号および前記被変調Q信号に対応する成分を信号成分とし、前記直交復調器における乗算結果における、前記直交変調器の誤差に対応する成分を誤差成分としたときに、前記信号成分を前記誤差成分と区別して測定可能な程度、前記信号成分の周波数と前記誤差成分の周波数とが異なるように、前記変調用ローカル信号の周波数と、前記復調用ローカル信号の周波数との差が定められているようにしてもよい。
【００２３】
本発明にかかる直交復調器は、復調用ローカル信号を出力する復調用ローカル信号源と、前記復調用ローカル信号と被復調信号とを乗算する第一復調用乗算器と、前記復調用ローカル信号と位相が直交する復調用直交ローカル信号と、前記被復調信号とを乗算する第二復調用乗算器と、を備え、前記被復調信号は、直交変調器における、被変調I信号と変調用ローカル信号との乗算、および、前記変調用ローカル信号と位相が直交する変調用直交ローカル信号と被変調Q信号との乗算に基づき得られるものであり、前記変調用ローカル信号の周波数と、前記復調用ローカル信号の周波数とが異なるように構成される。
【００２４】
上記のように構成された直交復調器によれば、復調用ローカル信号源が、復調用ローカル信号を出力する。第一復調用乗算器が、前記復調用ローカル信号と被復調信号とを乗算する。第二復調用乗算器が、前記復調用ローカル信号と位相が直交する復調用直交ローカル信号と、前記被復調信号とを乗算する。
【００２５】
しかも、前記被復調信号は、直交変調器における、被変調I信号と変調用ローカル信号との乗算、および、前記変調用ローカル信号と位相が直交する変調用直交ローカル信号と被変調Q信号との乗算に基づき得られるものである。
【００２６】
さらに、前記変調用ローカル信号の周波数と、前記復調用ローカル信号の周波数とが異なる。
【００２７】
なお、本発明にかかる直交復調器は、前記第一復調用乗算器および前記第二復調用乗算器の出力における、前記被変調I信号および前記被変調Q信号に対応する成分を信号成分とし、前記第一復調用乗算器および前記第二復調用乗算器の出力における、前記直交変調器の誤差に対応する成分を誤差成分としたときに、前記信号成分を前記誤差成分と区別して測定可能な程度、前記信号成分の周波数と前記誤差成分の周波数とが異なるように、前記変調用ローカル信号の周波数と、前記復調用ローカル信号の周波数との差が定められているようにしてもよい。
【発明を実施するための最良の形態】
【００２８】
以下、本発明の実施形態を図面を参照しながら説明する。
【００２９】
図１は、本発明の実施形態にかかる直交変調・復調装置１の構成を示す機能ブロック図である。直交変調・復調装置１は、直交変調器２、直交復調器４を備える。
【００３０】
直交変調器２は、第一変調用乗算器２１Ｉ、第二変調用乗算器２１Ｑ、変調用ローカル信号源２２、移相器２４、加算器２５を備える。直交変調器２は試験用I信号（周波数fs）および試験用Q信号（周波数fs）を直交変調して、被復調信号を出力する。
【００３１】
変調用ローカル信号源２２は、変調用ローカル信号（周波数fLO1）を出力する。
【００３２】
第一変調用乗算器２１Ｉは、変調用ローカル信号と試験用I信号（被変調I信号）とを乗算する。
【００３３】
移相器２４は、変調用ローカル信号源２２から変調用ローカル信号を受け、変調用ローカル信号の位相を９０度遅らせて、出力する。変調用ローカル信号と位相が直交する信号を変調用直交ローカル信号という。移相器２４は変調用直交ローカル信号を出力する。
【００３４】
第二変調用乗算器２１Ｑは、移相器２４から出力された変調用直交ローカル信号と、試験用Q信号（被変調Q信号）とを乗算する。
【００３５】
加算器２５は、第一変調用乗算器２１Ｉの出力と、第二変調用乗算器２１Ｑの出力とを加算する。加算結果が直交変調の結果であり、被復調信号である。
【００３６】
第一変調用乗算器２１Ｉの出力の振幅と、第二変調用乗算器２１Ｑの出力の振幅とは等しいことが理想である。しかし、実際には、第一変調用乗算器２１Ｉのゲインと、第二変調用乗算器２１Ｑのゲインとが異なる。これは、第一変調用乗算器２１Ｉおよび第二変調用乗算器２１Ｑの特性のばらつきなどによるものである。よって、第一変調用乗算器２１Ｉの出力の振幅と、第二変調用乗算器２１Ｑの出力の振幅とが等しくならないことが、実際には生じる。このような現象を、ゲインインバランスという。
【００３７】
また、第一変調用乗算器２１Ｉの出力の位相と、第二変調用乗算器２１Ｑの出力の位相との差は９０度が理想である。しかし、移相器２４の特性のばらつきなどにより、第一変調用乗算器２１Ｉの出力の位相と、第二変調用乗算器２１Ｑの出力の位相との差が９０度とは異なる値をとる。このような現象を、直交誤差という。
【００３８】
直交復調器４は、第一復調用乗算器４１Ｉ、第二復調用乗算器４１Ｑ、復調用ローカル信号源４２、移相器４４、ローパスフィルタ４６Ｉ、４６Ｑ、アンプ４８Ｉ、４８Ｑを備える。
【００３９】
復調用ローカル信号源４２は、復調用ローカル信号（周波数fLO2）を出力する。ただし、変調用ローカル信号の周波数fLO1と、復調用ローカル信号の周波数fLO2とは同じ値をとらず、異なるものである。
【００４０】
第一復調用乗算器４１Ｉは、復調用ローカル信号と、加算器２５の出力する被復調信号とを乗算する。
【００４１】
移相器４４は、復調用ローカル信号源４２から復調用ローカル信号を受け、復調用ローカル信号の位相を９０度遅らせて、出力する。復調用ローカル信号と位相が直交する信号を復調用直交ローカル信号という。移相器４４は復調用直交ローカル信号を出力する。
【００４２】
第二復調用乗算器４１Ｑは、移相器４４から出力された復調用直交ローカル信号と、加算器２５の出力する被復調信号とを乗算する。
【００４３】
ローパスフィルタ４６Ｉは、第一復調用乗算器４１Ｉの出力のうち低周波成分を透過させ、第一復調用乗算器４１Ｉの出力からベースバンドの成分をとりだす。
【００４４】
ローパスフィルタ４６Ｑは、第二復調用乗算器４１Ｑの出力のうち低周波成分を透過させ、第二復調用乗算器４１Ｑの出力からベースバンドの成分をとりだす。
【００４５】
アンプ４８Ｉは、ローパスフィルタ４６Ｉの出力を増幅する。アンプ４８Ｉの出力が復調結果Ｉ信号である。
【００４６】
アンプ４８Ｑは、ローパスフィルタ４６Ｑの出力を増幅する。アンプ４８Ｑの出力が復調結果Ｑ信号である。
【００４７】
次に、本発明の実施形態の動作を説明する。
【００４８】
まず、試験用I信号（被変調I信号）および試験用Q信号（被変調Q信号）が、直交変調器２に与えられる。直交変調器２の第一変調用乗算器２１Ｉによって、試験用I信号（被変調I信号）が、変調用ローカル信号と乗算される。直交変調器２の第二変調用乗算器２１Ｑによって、試験用Q信号（被変調Q信号）が、変調用直交ローカル信号と乗算される。
【００４９】
これらの乗算に基づき、被復調信号が得られる。具体的には、乗算結果を加算器２５により加算したものが、被復調信号となる。
【００５０】
加算器２５から出力された被復調信号は、直交復調器４に与えられる。直交復調器４の第一復調用乗算器４１Ｉおよび第二復調用乗算器４１Ｑによって、被復調信号が、復調用ローカル信号および復調用直交ローカル信号と乗算される。
【００５１】
第一復調用乗算器４１Ｉの出力は、ローパスフィルタ４６Ｉおよびアンプ４８Ｉを通って、復調結果Ｉ信号となる。第二復調用乗算器４１Ｑの出力は、ローパスフィルタ４６Ｑおよびアンプ４８Ｑを通って、復調結果Ｑ信号となる。
【００５２】
図２は、直交変調器２の出力する被復調信号の周波数スペクトル（図２（ａ）参照）、直交復調器４の出力する復調結果Ｉ信号および復調結果Ｑ信号の周波数スペクトル（図２（ｂ）参照）を示す図である。なお、図２の縦軸は電力[dBm]、横軸は周波数である。また、図２においては、fLO1＞fLO2の例を図示している。
【００５３】
直交変調器２の第一変調用乗算器２１Ｉおよび第二変調用乗算器２１Ｑによって、試験用I信号（被変調I信号）（周波数fs）が、変調用ローカル信号（周波数fLO1）と乗算され、試験用Q信号（被変調Q信号）（周波数fs）が、変調用直交ローカル信号（周波数fLO1）と乗算される。
【００５４】
一般的に、二つの信号X,Y（周波数fx、fy）が乗算されると、それらの信号の周波数の和fx＋fyおよび差fx−fyの周波数の信号が得られる。よって、第一変調用乗算器２１Ｉおよび第二変調用乗算器２１Ｑからは、周波数fLO1＋fsの成分と、周波数fLO1−fsの成分とが得られる。第一変調用乗算器２１Ｉおよび第二変調用乗算器２１Ｑの出力が加算器２５により加算されて被復調信号となるが、被復調信号もまた周波数fLO1＋fsの成分と、周波数fLO1−fsの成分とを有する（図２（ａ）参照）。
【００５５】
図２（ａ）を参照して、試験用I信号および試験用Q信号に対応する成分S0は周波数fLO1＋fsの成分である。周波数fLO1−fsの成分は、直交変調器２のゲインインバランスや直交誤差による誤差の成分N0である。
【００５６】
加算器２５から出力された被復調信号は、直交復調器４に与えられる。直交復調器４の第一復調用乗算器４１Ｉおよび第二復調用乗算器４１Ｑによって、被復調信号が、復調用ローカル信号（周波数fLO2）および復調用直交ローカル信号（周波数fLO2）と乗算される。また、乗算結果の高周波成分は、ローパスフィルタ４６Ｉ、４６Ｑによりカットされる。
【００５７】
よって、被復調信号における試験用I信号および試験用Q信号に対応する成分S0（周波数fLO1＋fs）と、復調用ローカル信号（周波数fLO2）および復調用直交ローカル信号（周波数fLO2）との乗算により、周波数が(fLO1＋fs)＋fLO2の成分と、(fLO1＋fs)−fLO2の成分とが得られる。しかし、周波数が(fLO1＋fs)＋fLO2の成分がローパスフィルタ４６Ｉ、４６Ｑによりカットされる。よって、復調結果Ｉ信号および復調結果Ｑ信号には、周波数が(fLO1＋fs)−fLO2の成分S1（電力PS）が残る（図２（ｂ）参照）。
【００５８】
また、被復調信号における誤差の成分N0（周波数fLO1−fs）と、復調用ローカル信号（周波数fLO2）および復調用直交ローカル信号（周波数fLO2）との乗算により、周波数が(fLO1−fs)＋fLO2の成分と、fLO2−(fLO1−fs)の成分とが得られる。しかし、周波数が(fLO1−fs)＋fLO2の成分がローパスフィルタ４６Ｉ、４６Ｑによりカットされる。よって、復調結果Ｉ信号および復調結果Ｑ信号には、周波数がfLO2−(fLO1−fs)の成分N1（電力PN）が残る（図２（ｂ）参照）。
【００５９】
成分S1は試験用I信号および試験用Q信号に対応する成分である。より詳細には、成分S1は、第一復調用乗算器４１Ｉおよび第二復調用乗算器４１Ｑの出力における、試験用I信号および試験用Q信号に対応する信号成分である。
【００６０】
成分N1は誤差の成分である。より詳細には、成分N1は、第一復調用乗算器４１Ｉおよび第二復調用乗算器４１Ｑの出力における、直交変調器２の誤差に対応する誤差成分である。
【００６１】
ここで、信号成分S1の周波数(fLO1＋fs)−fLO2と、誤差成分N1の周波数fLO2−(fLO1−fs)とは、異なる。fLO1とfLO2とが異なる値をとるからである。もし、fLO1とfLO2とが同じ値fLOをとるならば、信号成分S1の周波数も、誤差成分N1の周波数もfsになってしまう（図３参照）。しかし、本発明の実施形態では、fLO1とfLO2とが異なる値をとるので、信号成分S1の周波数と、誤差成分N1の周波数とは異なる。
【００６２】
復調結果Ｉ信号および復調結果Ｑ信号から、ＦＦＴ（Fast Fourier Transformation）またはフィルタなどにより、信号成分S1を取得して、信号成分S1の電力PSを測定する。このとき、信号成分S1を誤差成分N1と区別して測定可能な程度に、信号成分S1の周波数と誤差成分N1の周波数とが異なっていることが好ましい。例えば、信号成分S1の周波数と誤差成分N1の周波数との差が、ＦＦＴまたはフィルタなどの周波数分解能以上となるようにする。
【００６３】
信号成分S1の周波数(fLO1＋fs)−fLO2と、誤差成分N1の周波数fLO2−(fLO1−fs)との差は、2(fLO1−fLO2)である。この差2(fLO1−fLO2)を、ＦＦＴまたはフィルタなどの周波数分解能以上となるように、fLO1−fLO2（すなわち、変調用ローカル信号の周波数と、復調用ローカル信号の周波数との差）を定めることが好ましい。
【００６４】
このようにfLO1−fLO2を定め、信号成分S1を誤差成分N1と区別して測定可能な程度に、信号成分S1の周波数と誤差成分N1の周波数とが異なるようにする（例えば、信号成分S1の周波数と誤差成分N1の周波数との差が、ＦＦＴまたはフィルタなどの周波数分解能以上となるようにする）ことが好ましい。
【００６５】
なお、試験用I信号および試験用Q信号が単一の周波数fsの信号であるとして、実施形態を説明してきた。しかし、試験用I信号および試験用Q信号が単一の周波数fsである必要はなく、試験用I信号および試験用Q信号が複数の周波数fs1、fs2、…、fsNの成分（ただし、Nは２以上の整数、fs1、fs2、…、fsNは各々異なる値である）を有していても、同様な効果を奏する。
【００６６】
本発明の実施形態によれば、変調用ローカル信号（周波数fLO1）と復調用ローカル信号（周波数fLO2）とが異なる値をとるので、図２に示すように信号成分S1の周波数と、誤差成分N1の周波数とが異なる。しかも、信号成分S1を誤差成分N1と区別して測定可能な程度に、信号成分S1の周波数と誤差成分N1の周波数とが異なっている。
【００６７】
これにより、信号成分S1を誤差成分N1と区別して測定できるため、直交復調した信号に基づき信号成分S1を測定する際に、直交復調した信号における直交変調器２に起因する誤差（ゲインインバランス、直交誤差）の影響（誤差成分N1による影響）を軽減することができる。
【図面の簡単な説明】
【００６８】
【図１】本発明の実施形態にかかる直交変調・復調装置１の構成を示す機能ブロック図である。
【図２】直交変調器２の出力する被復調信号の周波数スペクトル（図２（ａ）参照）、直交復調器４の出力する復調結果Ｉ信号および復調結果Ｑ信号の周波数スペクトル（図２（ｂ）参照）を示す図である。
【図３】従来技術にかかる直交変調器の出力の周波数スペクトル（図３（ａ）参照）、直交復調器の出力の周波数スペクトル（図３（ｂ）参照）を示す図である。
【符号の説明】
【００６９】
１  直交変調・復調装置
２  直交変調器
２１Ｉ  第一変調用乗算器
２１Ｑ  第二変調用乗算器
２２  変調用ローカル信号源
２４  移相器
２５  加算器
４  直交復調器
４１Ｉ  第一復調用乗算器
４１Ｑ  第二復調用乗算器
４２  復調用ローカル信号源
４４  移相器
４６Ｉ、４６Ｑ  ローパスフィルタ
４８Ｉ、４８Ｑ  アンプ
S1  信号成分
N1  誤差成分
fLO1  変調用ローカル信号の周波数
fLO2  復調用ローカル信号の周波数
【図１】
0005013613.tif 000002
【図２】
0005013613.tif 000003
【図３】
0005013613.tif 000004